【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コード化ピクチャのスライスのスライスセグメントヘッダからビデオデコーダによって、ピクチャ順序カウント（ＰＯＣ）リセット期間識別子のための値を表すデータを復号することと、ここにおいて、ＰＯＣリセット期間識別子は、ＰＯＣリセット期間を識別し、ＰＯＣリセット期間は、ピクチャのシーケンスを備え、各々がＰＯＣリセット期間識別子の同じ値を有し、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備え、ここにおいて、前記ＰＯＣアンカーピクチャは、前記ＰＯＣリセット期間の第１のピクチャに対応する、
前記ビデオデコーダによって、前記ＰＯＣリセット期間識別子に少なくとも部分的に基づいて、前記コード化ピクチャのためのＰＯＣ値の少なくとも一部をリセットすることと
を備え、ここにおいて、リセットすることが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備える方法。
【請求項２】
ビデオデータを符号化する方法であって、
コード化ピクチャのスライスのスライスセグメントヘッダにおいてビデオエンコーダによって、ピクチャ順序カウント（ＰＯＣ）リセット期間識別子のための値を表すデータを符号化することと、ここにおいて、ＰＯＣリセット期間識別子は、ＰＯＣリセット期間を識別し、ＰＯＣリセット期間は、ピクチャのシーケンスを備え、各々がＰＯＣリセット期間識別子の同じ値を有し、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備え、ここにおいて、前記ＰＯＣアンカーピクチャは、前記ＰＯＣリセット期間の第１のピクチャに対応する、
前記ビデオエンコーダによって、前記ＰＯＣリセット期間識別子に少なくとも部分的に基づいて、前記コード化ピクチャのためのＰＯＣ値の少なくとも一部をリセットすることと
を備え、ここにおいて、リセットすることが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備える方法。
【請求項３】
前記ＤＰＢ内に現在記憶されている、前記レイヤにおける前記１つまたは複数のピクチャのための前記ＰＯＣ値の前記少なくとも一部をリセットすることが、
ＰＯＣ最下位ビット（ＬＳＢ）値を表すデータを復号することと、ここにおいて、前記データが前記コード化ピクチャ中に含まれる、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備える、請求項１に記載の方法。
【請求項４】
前記ＰＯＣ  ＬＳＢ値が、前記コード化ピクチャを含む前記ＰＯＣリセット期間のＰＯＣアンカーピクチャのＰＯＣ  ＬＳＢ値に等しい、請求項３に記載の方法。
【請求項５】
前記ＤＰＢ内に現在記憶されている、前記レイヤにおける前記１つまたは複数のピクチャのための前記ＰＯＣ値の前記少なくとも一部をリセットすることが、
前記ＰＯＣリセット期間のＰＯＣアンカーピクチャのためのＰＯＣ最下位ビット（ＬＳＢ）値を決定することと、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備え、
前記方法が、前記ＰＯＣ  ＬＳＢ値を表すデータを符号化すること、ここにおいて、前記データが前記コード化ピクチャ中に含まれる、をさらに備える、請求項２に記載の方法。
【請求項６】
ビデオデータを復号するためのデバイスであって、
ビデオデータを記憶するように構成された復号ピクチャバッファ（ＤＰＢ）を備えるメモリと、
コード化ピクチャのスライスのスライスセグメントヘッダからピクチャ順序カウント（ＰＯＣ）リセット期間識別子のための値を表すデータを復号することと、ここにおいて、ＰＯＣリセット期間識別子は、ＰＯＣリセット期間を識別し、ＰＯＣリセット期間は、ピクチャのシーケンスを備え、各々がＰＯＣリセット期間識別子の同じ値を有し、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備え、ここにおいて、前記ＰＯＣアンカーピクチャは、前記ＰＯＣリセット期間の第１のピクチャに対応する、を行うように構成された、ビデオデコーダと
を備え、
前記ビデオデコーダは、前記コード化ピクチャのためのＰＯＣ値の少なくとも一部をリセットすることを行うようにさらに構成され、ここにおいて、リセットすることが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備えるデバイス。
【請求項７】
ビデオデータを符号化するためのデバイスであって、
ビデオデータを記憶するように構成された復号ピクチャバッファ（ＤＰＢ）を備えるメモリと、
コード化ピクチャのスライスのスライスセグメントヘッダにおいて、ピクチャ順序カウント（ＰＯＣ）リセット期間識別子のための値を表すデータを符号化することと、ここにおいて、ＰＯＣリセット期間識別子は、ＰＯＣリセット期間を識別し、ＰＯＣリセット期間は、ピクチャのシーケンスを備え、各々がＰＯＣリセット期間識別子の同じ値を有し、ここにおいて、前記データが、前記ビデオデータのレイヤの前記コード化ピクチャに関連付けられ、ここにおいて、前記ＰＯＣリセット期間識別子の前記値が、前記コード化ピクチャを含むＰＯＣリセット期間を示し、ここにおいて、前記コード化ピクチャは、前記ＰＯＣリセット期間のＰＯＣアンカーピクチャを備え、ここにおいて、前記ＰＯＣアンカーピクチャは、前記ＰＯＣリセット期間の第１のピクチャに対応する、を行うように構成された、ビデオエンコーダと
を備え、
前記ビデオエンコーダは、前記コード化ピクチャのためのＰＯＣ値の少なくとも一部をリセットすることを行うようにさらに構成され、ここにおいて、リセットすることが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備えるデバイス。
【請求項８】
前記ＰＯＣリセット期間識別子のための前記値を表す前記データが、前記コード化ピクチャのスライスのためのスライスセグメントヘッダ中に含まれる、請求項６または請求項７に記載のデバイス。
【請求項９】
前記ビデオデコーダが、ＰＯＣ最下位ビット（ＬＳＢ）値を表すデータを復号することと、ここにおいて、前記データが前記コード化ピクチャ中に含まれる、前記ＤＰＢ内に現在記憶されている、前記レイヤにおける前記１つまたは複数のピクチャのためのＰＯＣ値を、前記ＰＯＣ  ＬＳＢ値だけデクリメントすることとを行うように構成され、ここにおいて、前記ＰＯＣ  ＬＳＢ値が、前記コード化ピクチャを含む前記ＰＯＣリセット期間のＰＯＣアンカーピクチャのＰＯＣ  ＬＳＢ値に望ましくは等しい、請求項６に記載のデバイス。
【請求項１０】
前記ビデオデコーダが、前記コード化ピクチャのために実行されるべきＰＯＣリセットのタイプの指示のための２ビット値を表すデータを復号することを行うようにさらに構成され、それは、前記ＰＯＣリセットタイプがＰＯＣリセットなし、前記ＰＯＣ値のＭＳＢ値のみをリセットすること、前記ＰＯＣ値のＭＳＢ値とＬＳＢ値の両方をリセットすることであること、または、リセットのタイプを示すために追加の情報がシグナリングされることを示し、ここにおいて、前記データが前記コード化ピクチャ中に含まれる、請求項６に記載のデバイス、または、
前記ビデオエンコーダが、前記コード化ピクチャのために実行されるべきＰＯＣリセットのタイプの指示のための２ビット値を表すデータを符号化することを行うようにさらに構成され、それは、前記ＰＯＣリセットタイプがＰＯＣリセットなし、前記ＰＯＣ値のＭＳＢ値のみをリセットすること、前記ＰＯＣ値のＭＳＢ値とＬＳＢ値の両方をリセットすることであること、または、リセットのタイプを示すために追加の情報がシグナリングされることを示し、ここにおいて、前記データが前記コード化ピクチャ中に含まれる、請求項７に記載のデバイス。
【請求項１１】
前記ビデオデコーダまたは前記ビデオエンコーダが、
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値の最上位ビット（ＭＳＢ）のみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
を行うようにさらに構成され、
ここにおいて、前記ビデオコーダが、前記指示のための前記値が３であるとき、前記追加のＰＯＣリセット情報をコーディングすること、ここにおいて、前記追加のＰＯＣリセット情報が、前記コード化ピクチャのための前記ＰＯＣ値のＰＯＣ  ＭＳＢがリセットされるべきであるか否か、または、前記コード化ピクチャのための前記ＰＯＣ値のＰＯＣ  ＭＳＢおよびＰＯＣ  ＬＳＢがリセットされるべきであるか否かを示し、ここにおいて、前記追加のＰＯＣリセット情報がアンカーＰＯＣ  ＬＳＢ値を示す、を行うように望ましくはさらに構成される、請求項１０に記載のデバイス。
【請求項１２】
前記ビデオデコーダが、前記コード化ピクチャのために実行されるべきＰＯＣリセットのタイプの指示のための値を表すデータを復号することと、ここにおいて、前記指示のための前記値が、追加のＰＯＣリセット情報が前記コード化ピクチャのためにシグナリングされることを示し、ここにおいて、前記データが前記コード化ピクチャ中に含まれる、前記追加のＰＯＣリセット情報を復号することと、ここにおいて、前記追加のＰＯＣリセット情報が、アンカーＰＯＣ最下位ビット（ＬＳＢ）値と、前記コード化ピクチャを含む前記ＰＯＣリセット期間のためのＰＯＣアンカーピクチャが失われたと決定することに応答して、復号順序において前記ＰＯＣアンカーピクチャに後続するピクチャのためのＰＯＣ値を計算するとき、前記アンカーＰＯＣ  ＬＳＢ値に等しいＰＯＣ値を使用することとを示す、を行うように構成される、請求項６に記載のデバイス、または、
前記ビデオエンコーダが、１つまたは複数の参照ピクチャを含む参照ピクチャリストを構築することと、前記参照ピクチャのうちの１つを使用して、前記コード化ピクチャのブロックを符号化することと、前記ブロックのための動き情報を符号化することと、ここにおいて、前記動き情報が、前記参照ピクチャリストの識別子と、前記参照ピクチャのうちの前記１つに対応する前記参照ピクチャリストへの参照インデックスとを含む、前記参照ピクチャリスト中に含まれた前記参照ピクチャを表す１つまたは複数のＰＯＣ値を符号化することとを行うように構成される、請求項７に記載のデバイス。
【請求項１３】
前記ビデオデコーダが、前記コード化ピクチャに対応するピクチャパラメータセット（ＰＰＳ）のデータを復号すること、ここにおいて、前記ＰＰＳの前記データが、ＰＯＣリセット情報が前記コード化ピクチャ中でシグナリングされるか否かを示す、を行うように構成され、ここにおいて、前記ビデオコーダが、前記ＰＯＣリセット情報が前記コード化ピクチャ中でシグナリングされることを前記ＰＰＳの前記データが示すとき、前記ＰＯＣリセット期間識別子のための前記値を表す前記データをコーディングするように構成され、ここにおいて、前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素が１に等しいとき、前記ＰＯＣリセット情報がシグナリングされるか否かを示す前記ＰＰＳの前記データが、望ましくは前記ＰＰＳ中でシグナリングされる、請求項６に記載のデバイス、または、
前記ビデオエンコーダが、前記コード化ピクチャに対応するピクチャパラメータセット（ＰＰＳ）のデータを符号化すること、ここにおいて、前記ＰＰＳの前記データが、ＰＯＣリセット情報が前記コード化ピクチャ中でシグナリングされるか否かを示す、を行うように構成され、ここにおいて、前記ビデオコーダが、前記ＰＯＣリセット情報が前記コード化ピクチャ中でシグナリングされることを前記ＰＰＳの前記データが示すとき、前記ＰＯＣリセット期間識別子のための前記値を表す前記データをコーディングするように構成され、ここにおいて、前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素が１に等しいとき、前記ＰＯＣリセット情報がシグナリングされるか否かを示す前記ＰＰＳの前記データが、望ましくは前記ＰＰＳ中でシグナリングされる、請求項１９に記載のデバイス。
【請求項１４】
前記デバイスが、
集積回路と、
マイクロプロセッサと、
ワイヤレス通信デバイスと
のうちの少なくとも１つを備える、請求項６または請求項７に記載のデバイス。
【請求項１５】
命令を記憶したコンピュータ可読記憶媒体であって、前記命令が、実行されると、ビデオデータをコーディングするためのデバイスのプロセッサに、請求項１〜請求項５のうちの何れか一項に記載の方法を行わせる、コンピュータ可読記憶媒体。
【手続補正２】
【補正対象書類名】明細書
【補正対象項目名】０２０８
【補正方法】変更
【補正の内容】
【０２０８】
[0166]様々な例が、説明された。これらおよび他の例は、次の特許請求の範囲内に入る。
以下に本願の出願当初の特許請求の範囲に記載された発明を付記する。
［Ｃ１］
ビデオデータを復号する方法であって、
ビデオデコーダによって、ピクチャ順序カウント（ＰＯＣ）リセット期間識別子のための値を表すデータを復号することと、ここにおいて、前記データが、ビデオデータのレイヤのコード化ピクチャに関連付けられ、ここにおいて、前記ＰＯＣリセット期間識別子の前記値が、前記コード化ピクチャを含むＰＯＣリセット期間を示す、
前記ビデオデコーダによって、前記ＰＯＣリセット期間識別子に少なくとも部分的に基づいて、前記コード化ピクチャのためのＰＯＣ値と、前記ビデオデコーダの復号ピクチャバッファ（ＤＰＢ）内に現在記憶されている、前記レイヤにおける１つまたは複数のピクチャのためのＰＯＣ値との少なくとも一部をリセットすることと
を備える方法。
［Ｃ２］
前記ＰＯＣリセット期間識別子のための前記値を表す前記データが、前記コード化ピクチャのスライスのためのスライスセグメントヘッダ中に含まれる、Ｃ１に記載の方法。
［Ｃ３］
前記ピクチャが、前記ＰＯＣリセット期間のＰＯＣアンカーピクチャを備え、ここにおいて、リセットすることが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を備える、Ｃ１に記載の方法。
［Ｃ４］
前記ＤＰＢ内に現在記憶されている、前記レイヤにおける前記１つまたは複数のピクチャのための前記ＰＯＣ値の前記少なくとも一部をリセットすることが、
ＰＯＣ最下位ビット（ＬＳＢ）値を表すデータを復号することと、ここにおいて、前記データが前記コード化ピクチャ中に含まれる、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備える、Ｃ１に記載の方法。
［Ｃ５］
前記ＰＯＣ  ＬＳＢ値が、前記コード化ピクチャを含む前記ＰＯＣリセット期間のＰＯＣアンカーピクチャのＰＯＣ  ＬＳＢ値に等しい、Ｃ４に記載の方法。
［Ｃ６］
前記コード化ピクチャのために実行されるべきＰＯＣリセットのタイプの指示のための２ビット値を表すデータを復号すること、ここにおいて、前記データが前記コード化ピクチャ中に含まれる、をさらに備える、Ｃ１に記載の方法。
［Ｃ７］
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値の最上位ビット（ＭＳＢ）のみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
をさらに備える、Ｃ６に記載の方法。
［Ｃ８］
前記指示のための前記値が３であるとき、前記追加のＰＯＣリセット情報を復号すること、ここにおいて、前記追加のＰＯＣリセット情報が、前記コード化ピクチャのための前記ＰＯＣ値のＰＯＣ  ＭＳＢがリセットされるべきであるか否か、または、前記コード化ピクチャのための前記ＰＯＣ値のＰＯＣ  ＭＳＢおよびＰＯＣ  ＬＳＢがリセットされるべきであるか否かを示し、ここにおいて、前記追加のＰＯＣリセット情報がアンカーＰＯＣ  ＬＳＢ値を示す、をさらに備える、Ｃ７に記載の方法。
［Ｃ９］
前記コード化ピクチャのために実行されるべきＰＯＣリセットのタイプの指示のための値を表すデータを復号することと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報を復号することと、ここにおいて、前記追加のＰＯＣリセット情報が、アンカーＰＯＣ最下位ビット（ＬＳＢ）値を示す、
前記コード化ピクチャを含む前記ＰＯＣリセット期間のためのＰＯＣアンカーピクチャが失われたと決定することに応答して、復号順序において前記ＰＯＣアンカーピクチャに後続するピクチャのためのＰＯＣ値を計算するとき、前記アンカーＰＯＣ  ＬＳＢ値に等しいＰＯＣ値を使用することと
をさらに備える、Ｃ１に記載の方法。
［Ｃ１０］
前記方法が、前記コード化ピクチャに対応するピクチャパラメータセット（ＰＰＳ）のデータを復号すること、ここにおいて、前記ＰＰＳの前記データが、ＰＯＣリセット情報が前記コード化ピクチャ中でシグナリングされるか否かを示す指示を包含する、をさらに備え、ここにおいて、前記ＰＯＣリセット期間識別子のための前記値を表す前記データを復号することが、前記ＰＰＳの前記データが、前記ＰＯＣリセット情報が前記コード化ピクチャ中でシグナリングされることを示すとき、前記ＰＯＣリセット期間識別子のための前記値を表す前記データを復号することを備える、Ｃ１に記載の方法。
［Ｃ１１］
前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素が１に等しいとき、前記ＰＯＣリセット情報がシグナリングされるか否かを示す前記ＰＰＳの前記データが、前記ＰＰＳ中でシグナリングされる、Ｃ１０に記載の方法。
［Ｃ１２］
参照ピクチャリスト中に含まれるべき参照ピクチャを表す１つまたは複数のＰＯＣ値を復号することと、
前記復号された１つまたは複数のＰＯＣ値に少なくとも部分的に基づいて、前記参照ピクチャリストを構築することと、
前記コード化ピクチャのブロックのための動き情報を復号することと、ここにおいて、前記動き情報が、前記参照ピクチャリストの識別子と、前記参照ピクチャリストへの参照インデックスとを含む、
前記参照ピクチャリスト中の前記参照インデックスに対応する前記参照ピクチャのうちの１つを使用して、前記ブロックを復号することと
をさらに備える、Ｃ１に記載の方法。
［Ｃ１３］
ビデオデータを符号化する方法であって、
ビデオエンコーダによって、ピクチャ順序カウント（ＰＯＣ）リセット期間識別子のための値を表すデータを符号化することと、ここにおいて、前記データが、ビデオデータのレイヤのコード化ピクチャに関連付けられ、ここにおいて、前記ＰＯＣリセット期間識別子の前記値が、前記コード化ピクチャを含むＰＯＣリセット期間を示す、
前記ビデオエンコーダによって、前記ＰＯＣリセット期間識別子に少なくとも部分的に基づいて、前記コード化ピクチャのためのＰＯＣ値と、ビデオデコーダの復号ピクチャバッファ（ＤＰＢ）内に現在記憶されている、前記レイヤにおける１つまたは複数のピクチャのためのＰＯＣ値との少なくとも一部をリセットすることと
を備える方法。
［Ｃ１４］
前記ＰＯＣリセット期間識別子のための前記値を表す前記データが、前記コード化ピクチャのスライスのためのスライスセグメントヘッダ中に含まれる、Ｃ１３に記載の方法。
［Ｃ１５］
前記ピクチャが、前記ＰＯＣリセット期間のＰＯＣアンカーピクチャを備え、前記方法が、
前記ＰＯＣアンカーピクチャのための前記ＰＯＣ値のすべてのビットをリセットするべきか、前記ＰＯＣ値の最上位ビット（ＭＳＢ）をリセットするべきかを決定することと、
前記ＰＯＣアンカーピクチャのための前記ＰＯＣ値のすべてのビットをリセットするべきか、前記ＰＯＣ値の最上位ビット（ＭＳＢ）をリセットするべきかの指示を表すデータを符号化することと
をさらに備え、
ここにおいて、リセットすることが、前記決定に基づいて、前記ＰＯＣ値をリセットすることを備える、Ｃ１３に記載の方法。
［Ｃ１６］
前記ＤＰＢ内に現在記憶されている、前記レイヤにおける前記１つまたは複数のピクチャのための前記ＰＯＣ値の前記少なくとも一部をリセットすることが、
前記ＰＯＣリセット期間のＰＯＣアンカーピクチャのためのＰＯＣ最下位ビット（ＬＳＢ）値を決定することと、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を備え、
前記方法が、前記ＰＯＣ  ＬＳＢ値を表すデータを符号化すること、ここにおいて、前記データが前記コード化ピクチャ中に含まれる、をさらに備える、Ｃ１３に記載の方法。
［Ｃ１７］
前記コード化ピクチャのために実行されるべきＰＯＣリセットのタイプの指示のための２ビット値を表すデータを符号化すること、ここにおいて、前記データが前記コード化ピクチャ中に含まれる、をさらに備える、Ｃ１３に記載の方法。
［Ｃ１８］
前記コード化ピクチャのための前記ＰＯＣ値がリセットされるべきではないと決定することに応答して、前記指示の前記値のために０を符号化することと、
前記コード化ピクチャのための前記ＰＯＣ値の最上位ビット（ＭＳＢ）のみがリセットされるべきであると決定することに応答して、前記指示の前記値のために１を符号化することと、
前記コード化ピクチャのための前記ＰＯＣ値のＭＳＢと最下位ビット（ＬＳＢ）の両方がリセットされるべきであると決定することに応答して、前記指示の前記値のために２を符号化することと、
追加のＰＯＣリセット情報が前記コード化ピクチャのためにシグナリングされるべきであると決定することに応答して、前記指示の前記値のために３を符号化することと
をさらに備える、Ｃ１７に記載の方法。
［Ｃ１９］
前記追加のＰＯＣリセット情報がシグナリングされるべきであると決定することに応答して、前記追加のＰＯＣリセット情報を符号化すること、ここにおいて、前記追加のＰＯＣリセット情報が、前記コード化ピクチャのための前記ＰＯＣ値のＰＯＣ  ＭＳＢがリセットされるべきであるか否か、または、前記コード化ピクチャのための前記ＰＯＣ値のＰＯＣ  ＭＳＢおよびＰＯＣ  ＬＳＢがリセットされるべきであるか否かを示し、ここにおいて、前記追加のＰＯＣリセット情報がアンカーＰＯＣ  ＬＳＢ値を示す、をさらに備える、Ｃ１８に記載の方法。
［Ｃ２０］
前記コード化ピクチャのために実行されるべきＰＯＣリセットのタイプの指示のための値を表すデータを符号化することと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報を符号化することと、ここにおいて、前記追加のＰＯＣリセット情報が、アンカーＰＯＣ最下位ビット（ＬＳＢ）値を示す
をさらに備える、Ｃ１３に記載の方法。
［Ｃ２１］
ＰＯＣリセット情報を符号化するか否かを決定することと、
前記コード化ピクチャに対応するピクチャパラメータセット（ＰＰＳ）のデータを符号化することと、ここにおいて、前記ＰＰＳの前記データが、前記ＰＯＣリセット情報が前記コード化ピクチャ中でシグナリングされるか否かを示し、ここにおいて、前記ＰＯＣリセット期間識別子のための前記値を表す前記データを符号化することが、前記ＰＯＣリセット情報を符号化することを決定することに応答して、前記ＰＯＣリセット期間識別子のための前記値を表す前記データを符号化することを備える
をさらに備える、Ｃ１３に記載の方法。
［Ｃ２２］
前記ＰＯＣリセット情報がシグナリングされるか否かを示す前記ＰＰＳの前記データが、前記ＰＰＳのｓｌｉｃｅ＿ｓｅｇｍｅｎｔ＿ｈｅａｄｅｒ＿ｅｘｔｅｎｓｉｏｎ＿ｐｒｅｓｅｎｔ＿ｆｌａｇシンタックス要素を表すデータを備える、Ｃ２１に記載の方法。
［Ｃ２３］
１つまたは複数の参照ピクチャを含む参照ピクチャリストを構築することと、
前記参照ピクチャのうちの１つを使用して、前記コード化ピクチャのブロックを符号化することと、
前記ブロックのための動き情報を符号化することと、ここにおいて、前記動き情報が、前記参照ピクチャリストの識別子と、前記参照ピクチャのうちの前記１つに対応する前記参照ピクチャリストへの参照インデックスとを含む、
前記参照ピクチャリスト中に含まれた前記参照ピクチャを表す１つまたは複数のＰＯＣ値を符号化することと
をさらに備える、Ｃ１３に記載の方法。
［Ｃ２４］
ビデオデータをコーディングするためのデバイスであって、
ビデオデータを記憶するように構成された復号ピクチャバッファ（ＤＰＢ）を備えるメモリと、
ピクチャ順序カウント（ＰＯＣ）リセット期間識別子のための値を表すデータをコーディングすることと、ここにおいて、前記データが、ビデオデータのレイヤのコード化ピクチャに関連付けられ、ここにおいて、前記ＰＯＣリセット期間識別子の前記値が、前記コード化ピクチャを含むＰＯＣリセット期間を示す、前記コード化ピクチャのためのＰＯＣ値と、前記ＤＰＢ内に現在記憶されている、前記レイヤにおける１つまたは複数のピクチャのためのＰＯＣ値との少なくとも一部をリセットすることとを行うように構成された、ビデオコーダと
を備えるデバイス。
［Ｃ２５］
前記ＰＯＣリセット期間識別子のための前記値を表す前記データが、前記コード化ピクチャのスライスのためのスライスセグメントヘッダ中に含まれる、Ｃ２４に記載のデバイス。
［Ｃ２６］
前記ピクチャが、前記ＰＯＣリセット期間のＰＯＣアンカーピクチャを備え、ここにおいて、前記ビデオコーダが、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を行うように構成される、Ｃ２４に記載のデバイス。
［Ｃ２７］
前記ビデオデコーダが、ＰＯＣ最下位ビット（ＬＳＢ）値を表すデータを復号することと、ここにおいて、前記データが前記コード化ピクチャ中に含まれる、前記ＤＰＢ内に現在記憶されている、前記レイヤにおける前記１つまたは複数のピクチャのためのＰＯＣ値を、前記ＰＯＣ  ＬＳＢ値だけデクリメントすることとを行うように構成される、Ｃ２４に記載のデバイス。
［Ｃ２８］
前記ＰＯＣ  ＬＳＢ値が、前記コード化ピクチャを含む前記ＰＯＣリセット期間のＰＯＣアンカーピクチャのＰＯＣ  ＬＳＢ値に等しい、Ｃ２７に記載のデバイス。
［Ｃ２９］
前記ビデオコーダが、前記コード化ピクチャのために実行されるべきＰＯＣリセットのタイプの指示のための２ビット値を表すデータをコーディングすること、ここにおいて、前記データが前記コード化ピクチャ中に含まれる、を行うようにさらに構成される、Ｃ２４に記載のデバイス。
［Ｃ３０］
前記ビデオコーダが、
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値の最上位ビット（ＭＳＢ）のみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
を行うようにさらに構成される、Ｃ２９に記載のデバイス。
［Ｃ３１］
前記ビデオコーダが、前記指示のための前記値が３であるとき、前記追加のＰＯＣリセット情報をコーディングすること、ここにおいて、前記追加のＰＯＣリセット情報が、前記コード化ピクチャのための前記ＰＯＣ値のＰＯＣ  ＭＳＢがリセットされるべきであるか否か、または、前記コード化ピクチャのための前記ＰＯＣ値のＰＯＣ  ＭＳＢおよびＰＯＣ  ＬＳＢがリセットされるべきであるか否かを示し、ここにおいて、前記追加のＰＯＣリセット情報がアンカーＰＯＣ  ＬＳＢ値を示す、を行うようにさらに構成される、Ｃ３０に記載のデバイス。
［Ｃ３２］
前記ビデオコーダが、前記コード化ピクチャのために実行されるべきＰＯＣリセットのタイプの指示のための値を表すデータを復号することと、ここにおいて、前記指示のための前記値が、追加のＰＯＣリセット情報が前記コード化ピクチャのためにシグナリングされることを示し、ここにおいて、前記データが前記コード化ピクチャ中に含まれる、前記追加のＰＯＣリセット情報を復号することと、ここにおいて、前記追加のＰＯＣリセット情報が、アンカーＰＯＣ最下位ビット（ＬＳＢ）値と、前記コード化ピクチャを含む前記ＰＯＣリセット期間のためのＰＯＣアンカーピクチャが失われたと決定することに応答して、復号順序において前記ＰＯＣアンカーピクチャに後続するピクチャのためのＰＯＣ値を計算するとき、前記アンカーＰＯＣ  ＬＳＢ値に等しいＰＯＣ値を使用することとを示す、を行うように構成されたビデオデコーダを備える、Ｃ２４に記載のデバイス。
［Ｃ３３］
前記ビデオコーダが、１つまたは複数の参照ピクチャを含む参照ピクチャリストを構築することと、前記参照ピクチャのうちの１つを使用して、前記コード化ピクチャのブロックを符号化することと、前記ブロックのための動き情報を符号化することと、ここにおいて、前記動き情報が、前記参照ピクチャリストの識別子と、前記参照ピクチャのうちの前記１つに対応する前記参照ピクチャリストへの参照インデックスとを含む、前記参照ピクチャリスト中に含まれた前記参照ピクチャを表す１つまたは複数のＰＯＣ値を符号化することとを行うように構成されたビデオエンコーダを備える、Ｃ２４に記載のデバイス。
［Ｃ３４］
前記ビデオコーダが、前記コード化ピクチャに対応するピクチャパラメータセット（ＰＰＳ）のデータをコーディングすること、ここにおいて、前記ＰＰＳの前記データが、ＰＯＣリセット情報が前記コード化ピクチャ中でシグナリングされるか否かを示す、を行うように構成され、ここにおいて、前記ビデオコーダが、前記ＰＯＣリセット情報が前記コード化ピクチャ中でシグナリングされることを前記ＰＰＳの前記データが示すとき、前記ＰＯＣリセット期間識別子のための前記値を表す前記データをコーディングするように構成される、Ｃ２４に記載のデバイス。
［Ｃ３５］
前記デバイスが、
集積回路と、
マイクロプロセッサと、
ワイヤレス通信デバイスと
のうちの少なくとも１つを備える、Ｃ２４に記載のデバイス。
［Ｃ３６］
ビデオデータをコーディングするためのデバイスであって、
ピクチャ順序カウント（ＰＯＣ）リセット期間識別子のための値を表すデータをコーディングするための手段と、ここにおいて、前記データが、コード化ピクチャに関連付けられ、ここにおいて、前記ＰＯＣリセット期間識別子の前記値が、前記コード化ピクチャを含むＰＯＣリセット期間を示す、
前記コード化ピクチャのためのＰＯＣ値と、ビデオデコーダの復号ピクチャバッファ（ＤＰＢ）内に現在記憶されている、前記レイヤにおける１つまたは複数のピクチャのためのＰＯＣ値との少なくとも一部をリセットするための手段と
を備えるデバイス。
［Ｃ３７］
命令を記憶したコンピュータ可読記憶媒体であって、前記命令が、実行されると、ビデオデータをコーディングするためのデバイスのプロセッサに、
ピクチャ順序カウント（ＰＯＣ）リセット期間識別子のための値を表すデータをコーディングすることと、ここにおいて、前記データが、ビデオデータのレイヤのコード化ピクチャに関連付けられ、ここにおいて、前記ＰＯＣリセット期間識別子の前記値が、前記コード化ピクチャを含むＰＯＣリセット期間を示す、
前記コード化ピクチャのためのＰＯＣ値と、ビデオデコーダの復号ピクチャバッファ（ＤＰＢ）内に現在記憶されている、前記レイヤにおける１つまたは複数のピクチャのためのＰＯＣ値との少なくとも一部をリセットすることと
を行わせる、コンピュータ可読記憶媒体。
［Ｃ３８］
前記ＰＯＣリセット期間識別子のための前記値を表す前記データが、前記コード化ピクチャのスライスのためのスライスセグメントヘッダ中に含まれる、Ｃ３７に記載のコンピュータ可読記憶媒体。
［Ｃ３９］
前記ピクチャが、前記ＰＯＣリセット期間のＰＯＣアンカーピクチャを備え、ここにおいて、前記プロセッサにリセットすることを行わせる前記命令が、前記プロセッサに、
前記ＰＯＣアンカーピクチャのためのＰＯＣリセットタイプの指示が、前記ＰＯＣアンカーピクチャのための前記ＰＯＣ値が完全にリセットされるべきであることを示すとき、前記ＰＯＣアンカーピクチャのための前記ＰＯＣ値のすべてのビットをリセットすること、または
前記ＰＯＣアンカーピクチャのための前記ＰＯＣリセットタイプの前記指示が、前記ＰＯＣアンカーピクチャのための前記ＰＯＣ値の最上位ビット（ＭＳＢ）がリセットされるべきであることを示すとき、前記ＰＯＣ値の前記ＭＳＢをリセットすること
を行わせる命令を備える、Ｃ３７に記載のコンピュータ可読記憶媒体。
［Ｃ４０］
前記プロセッサに、前記ＤＰＢ内に現在記憶されている、前記レイヤにおける前記１つまたは複数のピクチャのための前記ＰＯＣ値の前記少なくとも一部をリセットすることを行わせる前記命令が、前記プロセッサに、
ＰＯＣ最下位ビット（ＬＳＢ）値を表すデータをコーディングすることと、ここにおいて、前記データが前記コード化ピクチャ中に含まれる、
前記ＤＰＢ内に現在記憶されている、前記レイヤにおける前記１つまたは複数のピクチャのためのＰＯＣ値を、前記ＰＯＣ  ＬＳＢ値だけデクリメントすることと
を行わせる命令を備える、Ｃ３７に記載のコンピュータ可読記憶媒体。
［Ｃ４１］
前記プロセッサに、前記コード化ピクチャのために実行されるべきＰＯＣリセットのタイプの指示のための２ビット値を表すデータをコーディングすること、ここにおいて、前記データが前記コード化ピクチャ中に含まれる、を行わせる命令をさらに備える、Ｃ３７に記載のコンピュータ可読記憶媒体。
［Ｃ４２］
前記プロセッサに、
前記指示のための前記値が０であるとき、前記コード化ピクチャのための前記ＰＯＣ値がリセットされるべきではないと決定することと、
前記指示のための前記値が１であるとき、前記コード化ピクチャのための前記ＰＯＣ値の最上位ビット（ＭＳＢ）のみがリセットされるべきであると決定することと、
前記指示のための前記値が２であるとき、前記コード化ピクチャのための前記ＰＯＣ値のＭＳＢと最下位ビット（ＬＳＢ）の両方がリセットされるべきであると決定することと、
前記指示のための前記値が３であるとき、追加のＰＯＣリセット情報が前記コード化ピクチャのためにシグナリングされると決定することと
を行わせる命令をさらに備える、Ｃ４１に記載のコンピュータ可読記憶媒体。
［Ｃ４３］
前記プロセッサに、前記指示のための前記値が３であるとき、前記追加のＰＯＣリセット情報をコーディングすること、ここにおいて、前記追加のＰＯＣリセット情報が、前記コード化ピクチャのための前記ＰＯＣ値のＰＯＣ  ＭＳＢがリセットされるべきであるか否か、または、前記コード化ピクチャのための前記ＰＯＣ値のＰＯＣ  ＭＳＢおよびＰＯＣ  ＬＳＢがリセットされるべきであるか否かを示し、ここにおいて、前記追加のＰＯＣリセット情報がアンカーＰＯＣ  ＬＳＢ値を示す、を行わせる命令をさらに備える、Ｃ４２に記載のコンピュータ可読記憶媒体。
［Ｃ４４］
前記プロセッサに、
前記コード化ピクチャのために実行されるべきＰＯＣリセットのタイプの指示のための値を表すデータをコーディングすることと、ここにおいて、前記指示のための前記値が、追加のＰＯＣリセット情報が前記コード化ピクチャのためにシグナリングされることを示し、ここにおいて、前記データが前記コード化ピクチャ中に含まれる、
前記追加のＰＯＣリセット情報をコーディングすることと、ここにおいて、前記追加のＰＯＣリセット情報が、アンカーＰＯＣ最下位ビット（ＬＳＢ）値を示す
を行わせる命令をさらに備える、Ｃ３７に記載のコンピュータ可読記憶媒体。
［Ｃ４５］
前記コンピュータ可読記憶媒体が、前記プロセッサに、前記コード化ピクチャに対応するピクチャパラメータセット（ＰＰＳ）のデータをコーディングすること、ここにおいて、前記ＰＰＳの前記データが、ＰＯＣリセット情報が前記コード化ピクチャ中でシグナリングされるか否かを示す、を行わせる命令をさらに備え、ここにおいて、前記プロセッサに、前記ＰＯＣリセット期間識別子のための前記値を表す前記データをコーディングすることを行わせる前記命令が、前記プロセッサに、前記ＰＰＳの前記データが、前記ＰＯＣリセット情報が前記コード化ピクチャ中でシグナリングされることを示すとき、前記ＰＯＣリセット期間識別子のための前記値を表す前記データをコーディングすることを行わせる命令を備える、Ｃ３７に記載のコンピュータ可読記憶媒体。